(57)【要約】【課題】  回転板がロックしたときのロック状態の解除を確実にしたディスポーザを提供する。【構成】  投入口４に続く破砕室５の底部にモータ１０で回転させる回転板６を設け、破砕室内壁に回転板６を囲む固定刃８をそなえて厨芥を粉砕し、粉砕された厨芥を回転板６の周囲から排出室９に落下させて排出するディスポーザにおいて、前記回転板６のロック状態を検出する過負荷検出手段１３を設ける。ＤＣブラシレスモータを用い、通常はモータ１０の定格出力より小さい出力Ｔ２で破砕運転をさせ、ロック状態を検出したときに出力Ｔ２より増大させた出力Ｔ３で逆方向に回転させる。【選択図】        図２
2008080235.tif 000002
【特許請求の範囲】
【請求項１】
投入口に続く破砕室の底部にモータで回転させる回転板を設け、破砕室内壁に回転板を囲む固定刃をそなえて厨芥を粉砕し、粉砕された厨芥を回転板の周囲から排出室に落下させて排出するディスポーザにおいて、前記回転板のロック状態を検出する過負荷検出手段を設け、破砕時は回転板をモータの定格出力より低い出力で正回転させ、ロック状態を検出したときに、モータ出力を増大させて回転板を逆方向に回転させることを特徴とするディスポーザの運転装置。
【請求項２】
前記モータにＤＣブラシレスモータを用い、破砕時は８０％の出力で正回転させ、ロック状態を検出したときは１００％の出力で逆回転させる請求項１記載のディスポーザの運転装置。
【発明の詳細な説明】
【技術分野】
【０００１】
本発明は、台所などで発生する厨芥を回転刃で粉砕処理するディスポーザの運転装置に関する。
【背景技術】
【０００２】
ディスポーザは、厨房などにおけるシンクの排水口に連結され、前記排水口から投入される厨芥を破砕室の底部に設けられた回転板で受け、この回転板をモータで回転させて上面に取り付けた打撃刃で破砕するとともに、回転板を囲んで破砕室の底部内壁に設けた固定刃と回転板外周との間で細かく剪断処理して粉砕するようにしている。
【０００３】
しかし、投入された厨芥に金属製のスプーンなどの異物、あるいは硬い骨や長い繊維質など粉砕されない厨芥が混入されていると、回転板と固定刃の隙間に挟まって回転板がロックされ、モータが過負荷になり、最悪の場合はモータの焼損を生じるおそれがある。このため、回転板のロック状態を検出したときに、回転板を逆方向に回転させてロックを解除させるようにしている。（例えば、特許文献１、特許文献２参照）
【０００４】
また、モータの過負荷が検知され、回転板を逆方向に回転させるときに、給水量を増量させて粉砕刃に残る厨芥物を除去し易くするようとしたディスポーザ（特許文献３）、あるいは過負荷を検知した場合に、モータをいったん逆転させた後にモータ出力を段階的に高くして正回転させることにより粉砕量に応じたトルクにするとともに、詰まりを生じていた場合は詰まりを解消させるようにしたディスポーザが提案されている。（特許文献４参照）
【０００５】
【特許文献１】特開昭５５−１３７０５０号
【特許文献２】特開２００２−２６３６０７号
【特許文献３】特開平１１−２８３８２号
【特許文献４】特開２００４−３２１８４０号（段落番号００２９）
【発明の開示】
【発明が解決しようとする課題】
【０００６】
このように、ディスポーザの回転板がロック（噛み込み）を生じると、モータの過負荷電流を検知して回転板を逆回転させるようにしているが、骨の細片や繊維質あるいは石粒などを噛み込んで回転板と固定刃の間に厨芥が圧縮された状態で強くロックされている場合は、単にモータを逆転させ、あるいは水を加えるようにしても、容易に回転板を逆転させることができず、投入口からロックハンドルを差し込んだり、モータ軸に下方から工具を挿入して強制的に回すなどの処置を加えて逆転させ、さらにはディスポーザを分解して挟まった厨芥を除去せねばならなかった。
【課題を解決するための手段】
【０００７】
本発明は、回転板のロック状態を検出する過負荷検出手段を設け、ロック状態を検出したときに、モータ出力を増大させて噛み込み力より強いトルクで回転板を逆回転させることにより、容易にロックを解除させるようにしている。
このため、前記モータとして出力を調整できるＤＣブラシレスモータを用い、常時の破砕運転はたとえば８０％の出力で正回転させ、ロック状態を検出したときは１００％の出力に増大させて逆回転させる。
【発明の効果】
【０００８】
このように本発明は、ロック状態を生じたときに、破砕運転時よりモータ出力を増大させて回転板を逆方向に回転させることにより、他の工具や、分解を必要としないで確実にロックを解除させることができ、モータを停止させ、ロックした厨芥などを破砕室に差し込んだ手で容易に取り除くことが可能になる。
また、モータにＤＣブラシレスモータを用いることで、ロック解除の出力調整を簡単に行なうことができ、回転板を自力で逆転させるだけで確実に解除できる効果が得られる。
【実施例】
【０００９】
以下、図について説明する。
図１は本発明の実施例を示すディスポーザの側断面図、図２はトルク特性曲線図で、１はディスポーザ、２はシンク、３はシンクの排水口、４はディスポーザ１の投入口、５は投入口に続く破砕室、６は破砕室５の底部に設けられた回転板、７は回転板６の上面に取り付けられた打撃刃、８は回転板６を囲んで破砕室底部に固定された固定刃、９は回転板６の下方に設けた排出室、１０は回転板６を駆動するモータでＤＣブラシレスモータを用いている。１１は運転スイッチ、１２は制御装置、１３は過負荷検出手段である。
【００１０】
厨芥を処理するとき（バッチ処理の場合を示す）は、排水口３から投入口４を介して破砕室５の回転板６上に厨芥を投入し、水を供給しながら運転スイッチ１１を閉じる。
起動当初に低出力（トルク）Ｔ１で短時間たとえば２秒の正転（逆転でもよい）を数回（図では３回）繰り返し、金属製異物などが混入していないかを検出する。混入している場合は回転板６の遠心力で異物が跳ね飛ばされて破砕室５の内壁に当たって衝撃音を発するので、運転を停止させて異物を除去した後に再起動させる。
異物が検出されなければ、回転板６をトルクＴ２で正回転させ破砕運転を行なう。破砕運転中に硬い骨の破片などが回転板６と固定刃８との隙間Ｇに噛み込まれ、回転板６がロックされ過負荷電流が流れると、過負荷検出手段１３がロック状態を検出し、図示していないロック状態発生の信号を出すとともに、モータ１０をトルクＴ３（Ｔ３>Ｔ２）で逆回転させる。このため、回転板６が強い力で噛み込み時と反対方向に回転し、噛み込んだ破片などを隙間Ｇから回転板６上に戻し、負荷電流が小さくなるとモータ１０を停止させる。
ロック状態が解除されモータ１０が停止すると、ロックした原因を調べて除去し、破砕運転を再起動させる。
【００１１】
なお、モータ１０に出力調整が容易なＤＣブラシレスモータを用い、破砕運転に必要な出力を定格出力に応じて選べばよいが、あまり小さい値にすれば破砕能力が低下するので、常時は定格出力の８０％程度の出力で破砕運転を行なわせ、ロック状態を検出したときに１００％の出力で逆回転させるのが良い。また、制御装置１２および過負荷検出装置１３は、モータ１０とともにケーシング内に設けることができる。
【図面の簡単な説明】
【００１２】
【図１】本発明を実施するディスポーザの例を示す側断面図である。
【図２】トルク特性の例を示す特性曲線図である。
【符号の説明】
【００１３】
１  ディスポーザ
２  シンク
３  排水口
４  投入口
５  破砕室
６  回転板
７  打撃刃
８  固定刃
９  排出室
１０  モータ
１１  運転スイッチ
１２  制御装置
１３  過負荷検出装置
【図１】
2008080235.tif 000003
【図２】
2008080235.tif 000004